(57)【要約】【課題】  使用者の便宜と選択度を高めたカラオケ装置用リモコン装置の提供を図る。【解決手段】  本考案によると、ボタン式とタッチスクリーン式とのデータ入力部をそれぞれ備えて使用者の選択によって両方式の使用が可能であり、様々なデータ検出方式を有した楽曲検索機能を同時に備えてインターネット世代の使用者には検索機能を有したタッチスクリーン式のリモコン装置を提供し、相対的にインターネット接近度が低い老齢者には簡単なボタン式のリモコン装置を提供して、結果的に使用者の便宜と選択度を高めるという効果がある。【選択図】  図１
0003111627.tif 000002
【実用新案登録請求の範囲】
【請求項１】
カラオケ装置の機能を無線で操作することができるカラオケ装置用リモコン装置であって、数字入力キーと第１機能キーとを備えて使用者の選択によってデータを入力する第１入力部と、数字／文字入力キーと第２機能キーとを備えて使用者の選択によってデータを入力する第２入力部と、上記第１又は第２入力部によって入力されたデータ及びデータ処理結果を表示するディスプレー部と、所定の基準によって楽曲情報が格納された楽曲情報格納部と、制御プログラムが内蔵されて上記各構成部の動作及びデータの入出力を制御する制御部と、上記制御部から受信する信号を上記カラオケ装置に無線送信する無線送信部とを含むことを特徴とするカラオケ装置用リモコン装置。
【請求項２】
上記第１入力部は、上記カラオケ装置用リモコン装置の一側面に備えられ、上記第２入力部と上記ディスプレー部とは、上記カラオケ装置用リモコン装置の他側面に備えられ、使用者において両面使用を可能にすることを特徴とする請求項１記載のカラオケ装置用リモコン装置。
【請求項３】
上記第１入力部の数字入力キーと第１機能キーとはボタン式で構成され、上記第２入力部の数字／文字入力キーはタッチスクリーン式で構成され、上記第２入力部の第２機能キーはボタン式で構成されることを特徴とする請求項１又は２記載のカラオケ装置用リモコン装置。
【請求項４】
上記楽曲情報格納部に格納するための所定の基準は、曲番号別、歌手別、ジャンル別、曲名別、流行時期別などであることを特徴とする請求項１記載のカラオケ装置用リモコン装置。
【請求項５】
上記無線送信部は、上記制御部から受信する信号を赤外線信号に変調して放射する赤外線送り出し方式であることを特徴とする請求項１記載のカラオケ装置用リモコン装置。
【請求項６】
上記制御部は、一定時間データ入力をしない場合に電源供給を自動で遮断するようにすることを特徴とする請求項１記載のカラオケ装置用リモコン装置。
【請求項７】
データをアップデートすることができるインターフェースをさらに含むことを特徴とする請求項１記載のカラオケ装置用リモコン装置。
【請求項８】
上記インターフェースは、ＵＳＢコネクター又はＳＤカードスロットであることを特徴とする請求項７記載のカラオケ装置用リモコン装置。
【請求項９】
上記第１入力部と第２入力部とは、互いに独立に作動され、上記第１入力部と第２入力部とのうち、何れか一つを選択することができるようにするスイッチをさらに含むことを特徴とする請求項１記載のカラオケ装置用リモコン装置。
【請求項１０】
ＤＣアダプタージャックが形成されることを特徴とする請求項１記載のカラオケ装置用リモコン装置。
【請求項１１】
スピーカーが内蔵されることを特徴とする請求項１記載のカラオケ装置用リモコン装置。
【考案の詳細な説明】
【技術分野】
【０００１】
本考案は、カラオケ装置用リモコン装置に関するものであって、より詳細には、ボタン式とタッチスクリーン式とのデータ入力部をそれぞれ備えて使用者の選択によって両方式の使用が可能であり、様々なデータ検出方式を有した楽曲検索機能を同時に備えて検索とともに選曲を可能にしたカラオケ装置用リモコン装置に関する。
【背景技術】
【０００２】
カラオケ文化が紹介されて以後、韓国内のカラオケ文化は広範囲に拡散されて、カラオケボックスはどこででも簡単に見つけられる普遍的な空間になったのみではなく、カラオケ装置及びその周辺装置に対する技術開発も多様に行われるようになった。
【０００３】
一般に、カラオケボックスでは、モニター、スピーカー、マイクなどを備えたカラオケ装置と上記カラオケ装置の機能を無線で操作することができるリモコン装置とを備えている。
【０００４】
カラオケ装置用リモコン装置は、数字入力キーと多数の機能キーとを備え、使用者の選択によってデータを入力する入力部と、上記入力部によって入力されたデータ及びデータ処理結果を表示するディスプレー部と、制御プログラムが内蔵されて上記各構成部の動作及びデータの入出力を制御する制御部と、上記制御部から受信する信号を上記カラオケ装置に無線送信する無線送信部とを含んで構成される。
【０００５】
最近では、このようなカラオケ装置用リモコン装置の基本構成に楽曲検索機能を付加してカラオケ選曲本なしに使用者が曲番号、歌手などによって楽曲を検索して直ちに出力することができるように構成されたカラオケ装置用リモコン装置も提供されている。
【０００６】
一方、このようなカラオケ装置用リモコン装置には、その入力部をボタン式のみで構成するものと、ＬＣＤ画面にタッチスクリーン式で表示するディスプレー部のみで構成したものとがある。 上記タッチスクリーン式のカラオケ装置用リモコン装置では、検索機能が付加されたものが一般的である。
【０００７】
しかし、上記ボタン式リモコン装置は、インターネット世代の期待に応じることができず、検索機能を付加するためには多数のボタンを配置しなければならないので全体的に複雑な構成を有するという問題点がある。
【０００８】
これに反して、上記タッチスクリーン式リモコン装置は、検索機能のための入力部をスクリーン上にディスプレー部と一体に具現することができ、インターネット世代の期待に応じることができるが、その使用方法が複雑で欠陷率が高く、老齢の使用者層においては使用を敬遠して接近性を落とすという問題点がある。
【考案の開示】
【考案が解決しようとする課題】
【０００９】
従って、本考案は、このような従来技術の問題点を解決するためになされたものであって、本考案の目的は、ボタン式とタッチスクリーン式とのデータ入力部をそれぞれ備えて、使用者の選択によって両方式の使用を可能にしたカラオケ装置用リモコン装置を提供することにある。
【００１０】
また、様々なデータ検出方式を有した楽曲検索機能を同時に備えて、インターネット世代の使用者には検索機能を有したタッチスクリーン式のリモコン装置を提供し、相対的にインターネット接近度が低い老齢層には簡単なボタン式のリモコン装置を提供して、結果的に使用者の便宜と選択度を高めるカラオケ装置用リモコン装置を提供することにある。
【課題を解決するための手段】
【００１１】
このような目的を達成するために、本考案に係るカラオケ装置用リモコン装置は、カラオケ装置の機能を無線で操作することができるカラオケ装置用リモコン装置であって、数字入力キーと第１機能キーとを備えて使用者の選択によってデータを入力する第１入力部と、数字／文字入力キーと第２機能キーとを備えて使用者の選択によってデータを入力する第２入力部と、上記第１又は第２入力部によって入力されたデータ及びデータ処理結果を表示するディスプレー部と、所定の基準によって楽曲情報が格納された楽曲情報格納部と、制御プログラムが内蔵されて上記各構成部の動作及びデータの入出力を制御する制御部と、上記制御部から受信する信号を上記カラオケ装置に無線送信する無線送信部とを含むことを特徴とする。
【００１２】
上記第１入力部は、上記カラオケ装置用リモコン装置の一側面に備えられ、上記第２入力部と上記ディスプレー部とは、上記カラオケ装置用リモコン装置の他側面に備えられ、使用者において両方式の使用を可能にすることが好ましい。
【００１３】
上記第１入力部の数字入力キーと第１機能キーとはボタン式で構成され、上記第２入力部の数字／文字入力キーはタッチスクリーン式で構成され、上記第２入力部の第２機能キーはボタン式で構成されることが好ましい。
【００１４】
上記楽曲情報格納部に格納するための所定の基準は、曲番号別、歌手別、ジャンル別、曲名別、流行時期別などであることが好ましい。
【００１５】
上記無線送信部は、上記制御部から受信する信号を赤外線信号に変調して放射する赤外線送り出し方式とすることが好ましい。
【００１６】
上記制御部は、一定時間データ入力をしない場合に電源供給を自動で遮断するようにすることが好ましい。
【００１７】
上記カラオケ装置用リモコン装置には、データをアップデートすることができるインターフェースをさらに含むことが好ましい。
【００１８】
上記インターフェースは、ＵＳＢコネクター又はＳＤカードスロットであることが好ましい。
【００１９】
上記第１入力部と第２入力部とは、互いに独立に作動され、上記第１入力部と第２入力部とのうち、何れか一つを選択することができるようにするスイッチをさらに含むことが好ましい。
【００２０】
上記カラオケ装置用リモコン装置には、ＤＣアダプタージャックが形成されることが好ましい。
【００２１】
上記カラオケ装置用リモコン装置には、スピーカーが内蔵されることが好ましい。
【考案の効果】
【００２２】
以上、説明したように本考案に係るカラオケ装置用リモコン装置によると、ボタン式とタッチスクリーン式とのデータ入力部をそれぞれ備えることから、使用者の選択によって両方式の使用が可能となる。
【００２３】
このことから、様々なデータ検出方式を有した楽曲検索機能を同時に備えて、インターネット世代の使用者には検索機能を有したタッチスクリーン式のカラオケ装置用リモコン装置を提供し、相対的にインターネット接近性が低い老齢層には簡単なボタン式のカラオケ装置用リモコン装置を提供して結果的に使用者の便宜と選択度を高めることができる。
【考案を実施するための最良の形態】
【００２４】
以下、添付図面を参照しつつ本考案の望ましい一実施形態について詳しく説明するが、本考案が本実施形態のみに限定されるものではない。
【００２５】
図１は、本考案の一実施形態に係るカラオケ装置用リモコン装置（以下、単に「リモコン装置」と言う。）のブロック回路図であり、図２は、同実施形態に係るリモコン装置の概略斜視図であり、図３は、同実施形態に係るリモコン装置のボタン式入力部を有した一側面の構成を示した概略的な図であり、図４は、同実施形態に係るリモコン装置のタッチスクリーン式の入力部を有した他側面の構成を示した概略的な図である。
【００２６】
図１を参照すると、本実施形態に係るリモコン装置は、大きく第１入力部１００、第２入力部２００、ディスプレー部４００、楽曲情報格納部５００、無線送信部６００、制御部３００を含んで構成される。
【００２７】
図３及び図４を参照すると、上記第１入力部１００は、数字入力キー１１０と多数の第１機能キー１２０とを備え、上記第２入力部２００は、数字／文字入力キー２１０と多数の第２機能キー２２０とを備えて、両方とも使用者の選択によってデータを入力する機能を遂行する。上記第１及び第２入力部１００，２００は、本実施形態に係るリモコン装置の両面にそれぞれ配置され、ボタン式とタッチスクリーン式とでそれぞれ構成される。
【００２８】
また、図２を参照すると、上記第１入力部１００と上記第２入力部２００とは互いに独立に作動され、上記リモコン装置は、スイッチ７２０を備えて使用者が上記二つの方式のうち、何れか一つの方式を選択する場合に他の方式は作動しないようにすることが好ましい。
【００２９】
上記ディスプレー部４００は、上記第１又は第２入力部１００，２００によって入力されたデータ及びデータ処理結果を表示する機能を遂行する。
【００３０】
また、上記リモコン装置は、データをアップデートできるインターフェース７１０を備えることが好ましいが、特に、上記インターフェース７１０はＵＳＢコネクター又はＳＤカードスロットであることが好ましい。
【００３１】
上記楽曲情報格納部５００には、所定の基準によって楽曲情報が格納される。この際、上記所定の基準は、曲番号別、歌手別、ジャンル別、曲名別、流行時期別などであることが好ましい。
【００３２】
上記無線送信部６００は、上記制御部３００から受信する信号を上記カラオケ装置に無線送信する機能を遂行し、上記制御部３００から受信する信号を赤外線信号に変調して放射する赤外線送り出し方式で構成することが好ましい。
【００３３】
上記制御部３００は、制御プログラムが内蔵されて上記各構成部の動作及びデータの入出力を制御する機能を遂行し、具体的には、上記第１及び第２入力部１００，２００から入力されたデータによって楽曲情報格納部５００からデータを受信して上記ディスプレー部４００を通じて表示し、使用者の選択によって上記無線送信部６００を通じてデータを送り出す。
【００３４】
また、上記制御部３００は、一定時間データ入力をしない場合に電源供給を自動で遮断するように構成して電力の無駄使いを防止することが好ましい。
【００３５】
図３を参照すると、本実施形態に係るリモコン装置の一側面は、外部に数字入力キー１１０と多数の第１機能キー１２０とを備えた第１入力部１００を含んで構成される。この際、上記数字入力キー１１０と第１機能キー１２０とはボタン式で構成される。一方、入力データを表示する別途のディスプレー部(図示しない)を配置することも可能である。
【００３６】
図４を参照すると、上記リモコン装置の他側面は、大きく第２入力部２００とディスプレー部４００とを含んで構成される。上記第２入力部２００は、数字／文字入力キー２１０と多数の第２機能キー２２０とを備える。
【００３７】
上記数字／文字入力キー２１０は、検索モードキー２１１、数字キー２１２、文字キー２１３を含んで構成され、使用者は検索モードキー２１１によって曲番号別、歌手別、ジャンル別、曲名別、流行時期別などの検索モードを選択することができ、数字キー２１２と文字キー２１３とによって検索データを入力することができる。
【００３８】
本実施形態によると、上記数字／文字入力キー２１０は、ディスプレー部４００と一体にＬＣＤ画面上にタッチスクリーン式に表示されることが好ましい。一方、本図面には、上記検索モードキー２１１と数字キー２１２ 及び文字キー２１３とを画面分割して図示しているが、他の画面に表示することも可能である。
【００３９】
また、上記リモコン装置は、バッテリーの電源が完全に消耗された時に備えて ＤＣアダプターを差し込むことができるジャック７３０を形成することが好ましく、ＤＣアダプターを使用する場合にはバッテリーを保護するためにバッテリー側ラインがオープンになるようにする。
【００４０】
また、ボタンを利用したりスクリーンをタッチしてデータを入力する時、効果音を出すことができるようにスピーカー７４０を内蔵することが好ましい。
【００４１】
図５は、本実施形態に係るリモコン装置のボタン式入力部を通じた選曲及び楽曲出力過程を示したフローチャートであり、図６は、本実施形態に係るリモコン装置のタッチスクリーン式の入力部を通じた楽曲検索／選曲及び楽曲出力過程を示したフローチャートである。
【００４２】
図５を参照すると、使用者がボタン式入力部を通じて曲番号を入力すると制御部３００が自動的に選曲を行い(Ｓ１０００)、使用者がスタートボタンを押すと(Ｓ１１００)、選曲された曲データがカラオケ装置に転送されて(Ｓ１２００)、カラオケ装置を通じて出力される(Ｓ１３００)。
【００４３】
図６を参照すると、検索機能を利用して選曲をするために、使用者は検索モードを選択し(Ｓ２０００)、検索モードによるデータを入力する(Ｓ２１００)。 曲番号、流行時期別などの検索モードを選択する場合には関連数字を入力することができ、 歌手別、ジャンル別、曲名別などの検索モードを選択する場合には関連文字を入力することができる。
【００４４】
データが入力されると使用者の命令によって制御部３００で楽曲情報格納部５００からデータを検索／リスト化してディスプレー部４００を通じて表示する(Ｓ２２００)。
【００４５】
使用者は希望する楽曲を選曲し(Ｓ２３００)、スタートボタンを押すと(Ｓ２４００)、選曲された曲データがカラオケ装置に転送されて(Ｓ２５００)、カラオケ装置を通じて出力される(Ｓ２６００)。
【００４６】
尚、本考案は、上記実施形態のみに限定されるものではなく、本考案の要旨を逸脱しない範囲での種々の変更は可能である。
【００４７】
例えば、上記第１入力部と上記第２入力部とがリモコン装置の同一面上に配置されても良く、上記第２入力部の数字／文字入力キーと第２機能キーとが共にタッチスクリーン式に構成されても良い。
【図面の簡単な説明】
【００４８】
【図１】本考案の一実施形態に係るリモコン装置のブロック回路図を示す。
【図２】同実施形態に係るリモコン装置のボタン式入力部を有した一側面の構成の概略斜視図を示す。
【図３】同実施形態に係るリモコン装置のボタン式入力部を有した一側面の構成の概略的な図を示す。
【図４】同実施形態に係るリモコン装置のタッチスクリーン式の入力部を有した他側面の構成の概略的な図を示す。
【図５】同実施形態に係るリモコン装置のボタン式入力部を通じた選曲及び楽曲出力過程のフローチャートを示す。
【図６】同実施形態に係るリモコン装置のタッチスクリーン式の入力部を通じた楽曲検索／選曲及び楽曲出力過程のフローチャートを示す。
【符号の説明】
【００４９】
１００…第１入力部、１１０…数字入力キー、１２０…第１機能キー、２００…第２入力部、２１０…数字／文字入力キー、２１１…検索モードキー、２１２…数字キー、２１３…文字キー、２２０…第２機能キー、３００…制御部、４００…ディスプレー部、５００…楽曲情報格納部、６００…無線送信部、７１０…インターフェース、７２０…スイッチ、７３０…ＤＣアダプタージャック、７４０…スピーカー
【図１】
0003111627.tif 000003
【図２】
0003111627.tif 000004
【図３】
0003111627.tif 000005
【図４】
0003111627.tif 000006
【図５】
0003111627.tif 000007
【図６】
0003111627.tif 000008